(57)【要約】【課題】放射線を用いて撮影対象物を撮影する際に、効率的に撮影時間の短縮を実現する仕組みを提供する。【解決手段】放射線発生部１２０の最大電流値Ａmaxに基づいて放射線検出部１３０のフレームレートｆを算出するフレームレート算出部１５１８と、フレームレート算出部１５１８で算出されたフレームレートｆに基づいて、撮影を行う際の放射線発生部１２０の電流値と放射線検出部１３０のフレームレートとを設定する撮影制御部１５１９を備える。【選択図】図５
2019055131.tif 000002
【特許請求の範囲】
【請求項１】
放射線を用いて撮影対象物を撮影する放射線撮影装置であって、
前記放射線を発生させる放射線発生部と、
前記放射線発生部と対向する位置に配置され、前記放射線発生部で発生させた前記放射線を検出する放射線検出部と、
前記放射線発生部の最大電流値に基づいて、前記放射線検出部のフレームレートを算出するフレームレート算出部と、
前記算出されたフレームレートに基づいて、前記放射線発生部の電流値と前記放射線検出部のフレームレートとを設定する撮影制御部と、
を有することを特徴とする放射線撮影装置。
【請求項２】
前記撮影制御部は、前記算出されたフレームレートが最大フレームレート以下である場合には、前記放射線発生部の電流値として前記最大電流値を設定し、前記放射線検出部のフレームレートとして前記算出されたフレームレートを設定することを特徴とする請求項１に記載の放射線撮影装置。
【請求項３】
前記撮影制御部は、前記算出されたフレームレートが最大フレームレートよりも大きい場合には、前記放射線発生部の電流値として前記最大電流値よりも小さい電流値を設定し、前記放射線検出部のフレームレートとして前記最大フレームレートを設定することを特徴とする請求項１または２に記載の放射線撮影装置。
【請求項４】
前記フレームレート算出部は、前記放射線発生部の最大電流値に加えて、前記撮影を行う際の前記放射線の線量である撮影線量に基づいて、前記放射線検出部のフレームレートを算出することを特徴とする請求項１乃至３のいずれか１項に記載の放射線撮影装置。
【請求項５】
前記撮影対象物の大きさに基づいて、前記撮影線量を算出する撮影線量算出部を更に有し、
前記フレームレート算出部は、前記撮影線量算出部で算出された前記撮影線量を用いて、前記放射線検出部のフレームレートを算出することを特徴とする請求項４に記載の放射線撮影装置。
【請求項６】
前記放射線発生部は、筐体の開口部から挿入された前記撮影対象物に対して、前記放射線を発生させるものであり、
前記撮影線量算出部は、前記撮影対象物の大きさとして、前記開口部で規定される前記撮影対象物の断面における径を用いることを特徴とする請求項５に記載の放射線撮影装置。
【請求項７】
前記撮影対象物は、乳房であり、
前記撮影線量算出部は、前記乳房の大きさと前記乳房における乳腺率とに基づいて、前記撮影線量を算出することを特徴とする請求項５または６に記載の放射線撮影装置。
【請求項８】
前記撮影の前に前記放射線または可視光を用いて前記撮影対象物を事前撮影して得られた事前撮影画像を取得する取得部と、
前記事前撮影画像を用いて、前記撮影対象物の大きさを算出する大きさ算出部と、
を更に有し、
前記撮影線量算出部は、前記大きさ算出部で算出された前記撮影対象物の大きさに基づいて、前記撮影線量を算出することを特徴とする請求項５乃至７のいずれか１項に記載の放射線撮影装置。
【請求項９】
前記撮影の前に前記放射線を用いて前記乳房を事前撮影して得られた事前撮影画像を取得する取得部と、
前記事前撮影画像を用いて、前記乳房の大きさを算出する大きさ算出部と、
前記事前撮影画像を用いて、前記乳房における乳腺率を算出する乳腺率算出部と、
を更に有し、
前記撮影線量算出部は、前記大きさ算出部で算出された前記乳房の大きさと前記乳腺率算出部で算出された前記乳房における乳腺率とに基づいて、前記撮影線量を算出することを特徴とする請求項７に記載の放射線撮影装置。
【請求項１０】
前記放射線発生部の電流値と前記放射線検出部のフレームレートとを含む撮影条件を複数記憶する記憶部を更に有し、
前記撮影制御部は、前記記憶部に記憶されている前記複数の撮影条件の中から該当する撮影条件を選択して前記設定を行うことを特徴とする請求項１乃至９のいずれか１項に記載の放射線撮影装置。
【請求項１１】
前記撮影制御部は、前記複数の撮影条件の中に前記該当する撮影条件が無い場合には、前記記憶部に記憶されている複数の撮影条件を補間して前記該当する撮影条件を求めることを特徴とする請求項１０に記載の放射線撮影装置。
【請求項１２】
放射線を用いて撮影対象物を撮影する放射線撮影装置の動作方法であって、
前記放射線撮影装置は、前記放射線を発生させる放射線発生部と、前記放射線発生部と対向する位置に配置され、前記放射線発生部で発生させた前記放射線を検出する放射線検出部と、を備えており、
前記放射線発生部の最大電流値に基づいて、前記放射線検出部のフレームレートを算出するフレームレート算出ステップと、
前記算出されたフレームレートに基づいて、前記放射線発生部の電流値と前記放射線検出部のフレームレートとを設定する撮影制御ステップと、
を有することを特徴とする放射線撮影装置の動作方法。
【請求項１３】
コンピュータに、請求項１２に記載の放射線撮影装置の動作方法における各ステップを実行させるためのプログラム。
【発明の詳細な説明】
【技術分野】
【０００１】
本発明は、放射線を用いて撮影対象物を撮影する放射線撮影装置及びその動作方法、並びに、当該動作方法をコンピュータに実行させるためのプログラムに関するものである。
【背景技術】
【０００２】
従来から、Ｘ線等の放射線を用いて、被検者の一部である撮影対象物を撮影する放射線撮影装置が提案されている（例えば、特許文献１及び特許文献２参照）。具体的に、特許文献１及び特許文献２には、被検者の撮影対象物に対して放射線であるＸ線を発生させるＸ線管と、Ｘ線管と対向する位置に配置され、入射したＸ線を検出するＸ線検出器と、被検者を間に挟んでＸ線管とＸ線検出器を回転させてコンピュータ断層撮影（Ｃｏｍｐｕｔｅｄ  Ｔｏｍｏｇｒａｐｈｙ：ＣＴ）を行うＸ線ＣＴ装置が記載されている。
【先行技術文献】
【特許文献】
【０００３】
【特許文献１】特開２０１２−１０６０８８号公報
【特許文献２】特開２００９−５０３６１号公報
【非特許文献】
【０００４】
【非特許文献１】Dedicated Breast CT: Radiation Dose and Image Quality Evaluation、John M. Boone, et al 、Radiology December 2001
【発明の概要】
【発明が解決しようとする課題】
【０００５】
上述した特許文献１及び特許文献２に記載の放射線撮影装置においても、撮影時間の短縮を考慮しているが、撮影時間の短縮に関して不十分であった。そして、撮影時間の短縮が不十分であると、被検者の負担になるとともに被検者の体動に基づく撮影画像の劣化（ボケやアーチファクト等）が生じうる。
【０００６】
本発明は、このような問題点に鑑みてなされたものであり、放射線を用いて撮影対象物を撮影する際に、効率的に撮影時間の短縮を実現する仕組みを提供することを目的とする。
【課題を解決するための手段】
【０００７】
本発明の放射線撮影装置は、放射線を用いて撮影対象物を撮影する放射線撮影装置であって、前記放射線を発生させる放射線発生部と、前記放射線発生部と対向する位置に配置され、前記放射線発生部で発生させた前記放射線を検出する放射線検出部と、前記放射線発生部の最大電流値に基づいて、前記放射線検出部のフレームレートを算出するフレームレート算出部と、前記算出されたフレームレートに基づいて、前記放射線発生部の電流値と前記放射線検出部のフレームレートとを設定する撮影制御部と、を有する。
また、本発明は、上述した放射線撮影装置の動作方法、及び、当該動作方法をコンピュータに実行させるためのプログラムを含む。
【発明の効果】
【０００８】
本発明によれば、放射線を用いて撮影対象物を撮影する際に、効率的に撮影時間の短縮を実現することができる。
【図面の簡単な説明】
【０００９】
【図１】本発明の第１の実施形態に係る放射線撮影装置の概略構成の一例を示す図である。
【図２】本発明の第１の実施形態に係る放射線撮影装置において想定している技術の一例を示す図である。
【図３】図２に引き続き、本発明の第１の実施形態に係る放射線撮影装置において想定している技術の一例を示す図である。
【図４】図２及び図３に引き続き、本発明の第１の実施形態に係る放射線撮影装置において想定している技術の一例を示す図である。
【図５】本発明の第１の実施形態に係る放射線撮影装置の機能構成の一例を示す図である。
【図６】本発明の第１の実施形態に係る放射線撮影装置の動作方法における処理手順の一例を示すフローチャートである。
【図７】本発明の第２の実施形態に係る放射線撮影装置において想定している技術の一例を示す図である。
【発明を実施するための形態】
【００１０】
以下に、図面を参照しながら、本発明を実施するための形態（実施形態）について説明する。
【００１１】
（第１の実施形態）
まず、本発明の第１の実施形態について説明する。
【００１２】
図１は、本発明の第１の実施形態に係る放射線撮影装置１００の概略構成の一例を示す図である。本実施形態では、放射線撮影装置１００として、放射線を用いて撮影対象物を走査してコンピュータによる画像処理によって撮影対象物の内部画像を構成する、いわゆるコンピュータ断層撮影（Ｃｏｍｐｕｔｅｄ  Ｔｏｍｏｇｒａｐｈｙ：ＣＴ）装置を適用した例について説明する。また、本実施形態では、撮影対象物として、被検者２００の乳房を適用した例について説明する。さらに、本実施形態では、放射線撮影装置１００として、被検者２００が立位の状態で被検者２００の乳房を放射線撮影（ＣＴ撮影）する装置の例について説明を行う。
【００１３】
放射線撮影装置１００は、図１（ａ）に示すように、放射線撮影機構を内蔵する筐体１０１と、筐体１０１を支持する支柱１０２を有して構成されている。
【００１４】
筐体１０１には、外側に、接触板１１０と、アクセス窓１０１１が設けられている。接触板１１０は、撮影対象物である乳房を挿入するための開口部を有し、被検者２００が乳房を開口部に挿入する際に被検者２００と接触する板状の部材である。また、アクセス窓１０１１は、開閉可能に構成されており、このアクセス窓１０１１と開けると、撮影技師等の検者が、接触板１１０の開口部から挿入された乳房が撮影領域内に配置されているか否かを確認することができる。また、アクセス窓１０１１は、放射線撮影時には閉じられる。また、この図１（ａ）には、接触板１１０の開口部に対して被検者２００が乳房を挿入する方向をｚ方向とし、被検者２００が立位の状態で被検者２００の脚から頭部の方向をｙ方向とし、このｚ方向及びｙ方向と直交する方向をｘ方向としたｘｙｚ座標系を示している。
【００１５】
支柱１０２には、外側に、表示部１０２１が設けられている。この表示部１０２１は、例えば撮影技師等の検者（必要に応じて、被検者２００を含む）に対して各種の画像や各種の情報を表示するものである。また、本実施形態においては、表示部１０２１は、検者による操作入力を受け付ける操作部としての機能を具備しているものとする。なお、図１（ａ）では、表示部１０２１が支柱１０２に設けられている例を示しているが、本実施形態においてはこの態様に限定されるものではなく、表示部１０２１が支柱１０２以外の部位に設けられている態様であってもよい。
【００１６】
図１（ｂ）は、図１（ａ）に示す筐体１０１の内部構成の一例を示す図である。この図１（ｂ）にも、図１（ａ）と同様のｘｙｚ座標系を示している。具体的に、図１（ｂ）では、接触板１１０よりも筐体１０１の内部に位置する構成を点線で記載している。
【００１７】
図１（ｂ）に示すように、接触板１１０は、撮影対象物である乳房を挿入するための開口部１１１が設けられている。また、筐体１０１は、図１（ｂ）に示すように、接触板１１０、放射線発生部１２０、放射線検出部１３０、回転機構部１４０、制御部１５０、乳房保持部１６０、及び、可視光カメラ１７０を有して構成されている。
【００１８】
放射線発生部１２０は、接触板１１０の開口部１１１から挿入された被検者２００の乳房に対して、Ｘ線等の放射線１２１を発生させるものである。具体的に、本実施形態においては、放射線発生部１２０は、開口部１１１から挿入された被検者２００の乳房及び放射線検出部１３０に向けて、四角錐のコーンビームの放射線１２１を出力する。また、本実施形態においては、放射線発生部１２０は、固定陽極の放射線管を具備して構成されている。これに関して、本実施形態では、撮影対象物である乳房のブラインドエリアを極力小さくするために、回転陽極の放射線管ではなく固定陽極の放射線管を使用する。この固定陽極の放射線管は、回転陽極の放射線管に比べて出力（ワット）が小さい。具体的に、本実施形態で想定している固定陽極の放射線管は、３００Ｗ程度である。
【００１９】
放射線検出部１３０は、放射線発生部１２０と対向する位置に配置され、放射線発生部１２０で発生させた放射線１２１を検出する。なお、被検者２００の乳房を放射線撮影する場合には、放射線検出部１３０は、開口部１１１から挿入された被検者２００の乳房を間に挟んで放射線発生部１２０と対向する位置に配置されることになる。
【００２０】
回転機構部１４０は、開口部１１１から挿入された被検者２００の乳房を間に挟んで放射線発生部１２０と放射線検出部１３０とを接触板１１０の面（ｚｙ面）と平行の面で回転させる機構部である。ここで、本実施形態では、回転機構部１４０の回転軸が開口部１１１の中心になるように構成されているものとする。また、例えば、回転機構部１４０は、被検者２００の乳房を放射線撮影（ＣＴ撮影）する際に、放射線発生部１２０及び放射線検出部１３０を当該乳房の周囲に３６０°回転させる。
【００２１】
制御部１５０は、放射線撮影装置１００の各構成部を制御して放射線撮影装置１００の動作を統括的に制御するとともに、各種の処理を行う。例えば、制御部１５０は、被検者２００の乳房をＣＴ撮影する際に、放射線発生部１２０から放射線１２１を発生させるタイミング等の制御や、放射線検出部１３０で放射線１２１を検出するタイミング等の制御、回転機構部１４０による回転の制御等を行う。また、例えば、制御部１５０は、放射線検出部１３０から検出信号を取得し、撮影対象物である乳房の放射線画像（詳細には放射線断層画像）を生成する。また、例えば、制御部１５０は、乳房をＣＴ撮影する前に行う、当該ＣＴ撮影を行う際の放射線１２１の線量である撮影線量を算出するための事前撮影において、放射線発生部１２０及び放射線検出部１３０または可視光カメラ１７０等を制御する。
【００２２】
乳房保持部１６０は、接触板１１０の開口部１１１から挿入された被検者２００の乳房が放射線撮影領域に収まるように乳房を保持する機構部である。この乳房保持部１６０は、放射線１２１を透過する材料で形成されている。乳房保持部１６０は、例えば、厚みが３ｍｍ程度で、形状が角度１００°程度の円弧状であり、また、長さは３００ｍｍ程度のものである。
【００２３】
可視光カメラ１７０は、例えば開口部１１１に対して被検者２００が乳房を挿入する方向（ｚ方向）と交差する面（好適には、ｚ方向と直交するｘｙ面）の方向から、開口部１１１に挿入された被検者２００の乳房を可視光で撮影する。この可視光カメラ１７０は、放射線発生部１２０及び放射線検出部１３０による放射線撮影に影響が無い位置に配置されている。
【００２４】
図２は、本発明の第１の実施形態に係る放射線撮影装置１００において想定している技術の一例を示す図である。具体的に、本実施形態では、撮影対象物である乳房の大きさとして、図２（ｂ）に示す乳房の直径ｄから図２（ａ）に示す乳房の圧迫厚ｔへの変換を想定している。具体的に、乳房の直径ｄは、本実施形態においては、図２（ｂ）の領域Ａｂに模式的に示しているように、開口部１１１で規定される乳房２１０の断面における直径ｄを表すものとする。また、乳房の圧迫厚ｔは、本実施形態においては、図２（ａ）の領域Ａａに模式的に示しているように、例えば図２（ｂ）の領域Ａｂに示す方向２１１から乳房２１０を圧迫した際の、乳房２１０の厚みを表すものとする。
【００２５】
本実施形態に係る放射線撮影装置１００は、例えば乳房の検診を目的としたＣＴ撮影を想定しており、このため、ＥＵＲＥＦ（ｔｈｅ  Ｅｕｒｏｐｅａｎ  Ｒｅｆｅｒｅｎｃｅ  Ｏｒｇａｎｉｚａｔｉｏｎ  ｆｏｒ  Ｑｕａｌｉｔｙ  Ａｓｓｕｒｅｄ  Ｂｒｅａｓｔ  Ｓｃｒｅｅｎｉｎｇ  ａｎｄ  Ｄｉａｇｎｏｓｔｉｃ  Ｓｅｒｖｉｃｅｓ）で規定されている乳腺線量を基準として用いる。ＥＵＲＥＦでは、図２（ａ）に示すように、乳腺５０％且つ脂肪５０％の乳房２１０を圧迫した場合の圧迫厚ｔごとに平均乳腺線量を規定している。具体的に、図２（ａ）は、横軸に乳房２１０の大きさとして乳房２１０の圧迫厚ｔをとり、縦軸に許容される平均乳腺線量をとった特性を示している。例えば、図２（ａ）において乳房２１０の圧迫厚ｔが７．５ｃｍの場合には、４．５ｍＧｙまでの平均乳腺線量で撮影することが推奨されている。
【００２６】
本実施形態に係る放射線撮影装置１００は、被検者２００の乳房２１０を乳房保持部１６０に載置するだけで圧迫しないことを前提としているため、乳房２１０の大きさを乳房２１０の直径ｄで定義する。図２（ｂ）は、横軸に乳房２１０の大きさとして乳房２１０の直径ｄをとり、縦軸に許容される平均乳腺線量をとった特性を示している。また、図２（ｂ）には、乳房２１０の直径ｄが１３．６ｃｍの場合に平均乳腺線量が４．５ｍＧｙとなる特性が示されている。
【００２７】
この図２（ｂ）は、乳房２１０の圧迫厚ｔと乳房２１０の直径ｄとの関係の変換式（ｔ＝α・π・ｄ**２，αは定数）を図２（ａ）に適用することによって計算される。なお、ここでの変換式は、非特許文献１を参考としているが、他の経験的な変換式を用いてもよい。
【００２８】
本実施形態に係る放射線撮影装置１００は、上述したように乳房２１０の大きさを乳房２１０の直径ｄで定義するため、この乳房２１０の直径ｄを放射線１２１を用いたワンショット撮影により算出する。このワンショット撮影は、例えば乳房２１０の検診等を目的としたＣＴ撮影の前に行われる事前撮影に相当するものである。この場合、制御部１５０は、当該ワンショット撮影により得られた事前撮影画像を画像処理することによって、乳房２１０の直径ｄを算出する。このワンショット撮影は、回転機構部１４０による回転を行わずに放射線発生部１２０及び放射線検出部１３０を固定した状態での１方向撮影であり、非常に小さな放射線１２１の線量（例えば、ＣＴ撮影の線量に対して１０００分の１程度の線量）での撮影である。なお、ここでは、事前撮影として、ワンショット撮影による１方向撮影の例を説明したが、例えば複数方向の撮影（例えば直交する２方向の撮影）を行うことによって、乳房２１０の直径ｄの算出精度を向上させるようにする形態も、適用可能である。
【００２９】
なお、本実施形態では、事前撮影として、放射線１２１を用いたワンショット撮影を適用した場合を例示したが、本発明においてはこの形態に限定されるものではなく、例えば可視光カメラ１７０による撮影を適用した形態も、本発明に適用可能である。この形態を採る場合、制御部１５０は、当該可視光カメラ１７０による撮影により得られた可視光画像である事前撮影画像を画像処理することによって、乳房２１０の直径ｄを算出する。また、この場合、可視光カメラ１７０を複数の位置に配置して複数方向から撮影を行うことによって、乳房２１０の直径ｄの算出精度を向上させるようにする形態も、適用可能である。
【００３０】
図３は、図２に引き続き、本発明の第１の実施形態に係る放射線撮影装置１００において想定している技術の一例を示す図である。
【００３１】
制御部１５０は、乳房２１０の直径ｄを算出すると、図３（ａ）を参照してＤｇＮｃｔを算出する。このＤｇＮｃｔは、撮影領域に入力された空気カーマに対して、各直径ｄごとに乳房２１０の乳腺が被曝する割合を示している。具体的に、図３（ａ）は、横軸に放射線発生部１２０の放射線管の電圧（管電圧）をとり、縦軸にＤｇＮｃｔをとった特性を示している。この図３（ａ）に示す特性は、モデルベースでシミュレーションにより求めることも、或いは、ファントムを作製して実験により求めることもできる。図３（ａ）を参照すると、同一の乳房２１０の直径ｄに対して管電圧を高くする方が、ＤｇＮｃｔは高くなることがわかる。また、同一の空気カーマの曝射を行った場合、乳房２１０の直径ｄが小さいほどＤｇＮｃｔは高くなることがわかる。ここで、ＤｇＮｃｔが高いということは、平均乳腺線量が大きい（被曝が大きい）ことを意味する。例えば、管電圧が５０ｋＶで乳房２１０の直径ｄが１３．６ｃｍの乳房２１０をＣＴ撮影する場合、図３（ａ）に矢印で示すように、ＤｇＮｃｔは０．６５となる。
【００３２】
乳房２１０の直径ｄが１３．６ｃｍの乳房２１０をＣＴ撮影する場合に、その平均乳腺線量が、マンモグラムの２方向（ＣＣビューとＭＬＯビュー）の平均乳腺線量の和と同等となるように設定すると、ＣＴ撮影の際の空気カーマは、図３の領域３０１に示すように１３．８ｍＧｙ（＝４．５×２／０．６５）となる。ここで、この領域３０１に示す４．５（ｍＧｙ）は、図２に示すように、乳房２１０の直径ｄが１３．６ｃｍの乳房２１０を圧迫した場合の圧迫厚ｔ＝７．５ｃｍの場合の平均乳腺線量である。また、領域３０１に示す２は２方向を意味しており、領域３０１に示す０．６５は図３（ａ）のＤｇＮｃｔを示している。
【００３３】
図３（ｂ）は、横軸に放射線発生部１２０の放射線管の電流（管電流）における時間積である管電流時間積（ｍＡｓ）をとり、縦軸に空気カーマ（ｍＧｙ）をとった特性を示している。この図３（ｂ）に示す特性は、管電流時間積（ｍＡｓ）と空気カーマ（ｍＧｙ）とがリニアな関係にあり、実験により計測することができるものである。図３（ｂ）に示す例では、図３の領域３０１に示す空気カーマが１３．８ｍＧｙとなる管電流時間積は、８０ｍＡｓ（管電圧が５０ｋＶの場合）である場合を示している。
【００３４】
図４は、図２及び図３に引き続き、本発明の第１の実施形態に係る放射線撮影装置１００において想定している技術の一例を示す図である。
【００３５】
具体的に、図４（ａ）は、横軸に乳房２１０の大きさとして乳房２１０の直径ｄをとり、縦軸に管電流時間積（ｍＡｓ）をとった特性を示している。また、図４（ｂ）は、横軸にＣＴ撮影の際に放射線検出部１３０による放射線１２１の検出に基づき取得される画像の取得速度を表すフレームレート（ＦＰＳ）をとり、縦軸に管電流時間積（ｍＡｓ）をとった特性を示している。また、図４（ｃ）は、横軸に放射線発生部１２０の放射線管の電流（管電流）をとり、縦軸に管電流時間積（ｍＡｓ）をとった特性を示している。ここで、図４（ｃ）では、Ｄｕｔｙ５０％のパルスの場合の特性を示している。以下、この図４（ａ）〜図４（ｃ）について説明する。
【００３６】
制御部１５０は、乳房２１０の直径ｄを算出すると、図４（ａ）に示す特性から、ＥＵＲＥＦで許容される平均乳腺線量を与えるための管電流時間積を算出する。また、上述したように、図４（ｃ）では、パルス幅のＤｕｔｙが５０％であることを前提にした管電流を示している。また、図４（ｃ）に示す例では、撮影条件によって定まる放射線発生部１２０の放射線管の最大電流値Ａmaxが６ｍＡである場合を示している。また、本実施形態においては、放射線発生部１２０の放射線管のターゲットは、Ｄｕｔｙが５０％の場合で熱設計されているものとし、例えばＤｕｔｙを２５％等に小さくすると放射線管の最大電流値Ａmaxを大きくすることができる。ただし、放射線発生部１２０の放射線管のターゲットにおける温度上昇は瞬間的なものであり、パルス幅を５０％にしても最大電流値Ａmaxを２倍にすることはできない。また、例えば、放射線発生部１２０の放射線管がＤｕｔｙ５０％を前提に３００Ｗでターゲット設計されている場合には、管電圧が５０ｋＶであれば最大電流値Ａmaxは６ｍＡであるが、管電圧が６０ｋＶであれば最大電流値Ａmaxは５ｍＡである。このように、本実施形態においては、放射線発生部１２０の放射線管の最大電流値Ａmaxは、撮影条件によって定まるものである。
【００３７】
図４（ｂ）は、図４（ａ）で管電流時間積が決まった場合のフレームレートを示している。放射線検出部１３０は、入射した放射線１２１を電気信号（検出信号）に変換する複数の変換部と、各変換部から電気信号（検出信号）を読み出す読出部とを含み構成されている。この放射線検出部１３０の変換部及び読出部は、ともに周波数特性があり、画像の取得速度（フレームレート（ＦＰＳ））に係る有限の読み出し周期を有する。ここで、本実施形態においては、放射線検出部１３０における画像の取得に係る最大速度を表す最大フレームレートＲは、３０ＦＰＳであるものとする。全方向の３６０°あたりのビュー数を１０００ビューとすると、１０００ビューを使用するフレームレートで割った値が撮影時間となる。本実施形態では、それぞれの被検者２００の乳房２１０の大きさに合わせて、被爆線量を考慮しつつなるべく撮影時間を短くすることを目的としている。図４（ｂ）及び図４（ｃ）において、管電流時間積が小さくなる場合、制御部１５０は、管電流を最大電流値Ａmax（６ｍＡ）に設定してフレームレートを上げる。ただし、フレームレートが最大フレームレートＲ（３０ＦＰＳ）に達したら、制御部１５０は、フレームレートを最大フレームレートＲ（３０ＦＰＳ）に設定して管電流を下げる。例えば、図４（ａ）に示すように、乳房２１０の直径ｄが１２ｃｍの場合に対応し、管電流時間積が８０ｍＡｓよりも小さい所定の管電流時間積４０１の場合、制御部１５０は、フレームレートを最大フレームレートＲ（３０ＦＰＳ）に設定する。なお、図４（ｂ）に示す特性では、管電流時間積が８０ｍＡｓの場合、フレームレートが最大フレームレートＲ（３０ＦＰＳ）よりも小さい２６ＦＰＳとなっている。
【００３８】
制御部１５０は、乳房２１０の直径ｄが１２ｃｍ未満の場合、管電流時間積が所定の管電流時間積４０１よりも小さくなるため、フレームレートを最大フレームレートＲ（３０ＦＰＳ）に設定し、管電流を最大電流値Ａmax（６ｍＡ）よりも小さく設定する。また、制御部１５０は、乳房２１０の直径ｄが１２ｃｍ以上の場合、管電流時間積が所定の管電流時間積４０１以上となるため、管電流を最大電流値Ａmax（６ｍＡ）に固定し、管電流時間積が大きくなるのに従ってフレームレートを最大フレームレートＲ（３０ＦＰＳ）からだんだん小さくなるように設定する。
【００３９】
図５は、本発明の第１の実施形態に係る放射線撮影装置１００の機能構成の一例を示す図である。この図５において、図１に示す構成と同様の構成については同じ符号を付しており、その詳細な説明は省略する。
【００４０】
図５に示すように、制御部１５０は、放射線発生部１２０、放射線検出部１３０、回転機構部１４０、可視光カメラ１７０及び表示部１０２１と電気的に接続されており、各構成部との通信が可能に構成されている。この制御部１５０は、図５に示すように、撮影条件決定部１５１、記憶部１５２、及び、画像再構成部１５３の各機能構成を有している。
【００４１】
撮影条件決定部１５１は、乳房２１０のＣＴ撮影に係る撮影条件を決定する。この撮影条件決定部１５１は、図５に示すように、事前撮影画像取得部１５１１、直径算出部１５１２、乳腺率算出部１５１３、圧迫圧算出部１５１４、ＤｇＮｃｔ算出部１５１５、乳腺線量算出部１５１６、撮影線量算出部１５１７、フレームレート算出部１５１８、及び、撮影制御部１５１９の各機能構成を含む。
【００４２】
事前撮影画像取得部１５１１は、乳房２１０のＣＴ撮影の前に放射線１２１または可視光を用いて乳房２１０を事前撮影して得られた事前撮影画像を取得する。ここで、放射線１２１を用いた事前撮影としては、例えば、回転機構部１４０による回転を行わずに放射線発生部１２０及び放射線検出部１３０を固定した状態でのワンショット撮影が挙げられる。また、可視光を用いた事前撮影としては、例えば、可視光カメラ１７０による撮影が挙げられる。なお、本実施形態の説明では、事前撮影画像取得部１５１１は、放射線１２１を用いた事前撮影により得られた事前撮影画像を取得するものとする。
【００４３】
直径算出部１５１２は、事前撮影画像取得部１５１１で取得された事前撮影画像を用いて、乳房２１０の大きさとして乳房２１０の直径ｄを算出する。具体的に、直径算出部１５１２は、事前撮影画像を画像処理して、図２（ｂ）の領域Ａｂに示すように、開口部１１１で規定される乳房２１０の断面における長さを直径ｄとして算出する。
【００４４】
乳腺率算出部１５１３は、事前撮影画像取得部１５１１で取得された事前撮影画像を用いて、乳房２１０の乳腺率を算出する。本実施形態では、事前撮影画像取得部１５１１で放射線１２１に係る事前撮影画像を取得するので、乳腺率算出部１５１３は、当該事前撮影画像を２値化処理等の画像処理を行って乳房２１０の乳腺率を算出する。具体的に、例えば、乳腺率算出部１５１３は、まず、当該事前撮影画像に対して高周波強調処理を行った後に、乳房２１０の皮膚を検出する閾値１を使用して乳房２１０の断面積Ｓを求める。続いて、乳腺率算出部１５１３は、当該事前撮影画像に対して閾値１とは異なる閾値２を使用して乳腺領域の面積Ｓｇを求める。そして、乳腺率算出部１５１３は、Ｓｇ／Ｓを計算して乳房２１０の乳腺率を算出する。
【００４５】
圧迫圧算出部１５１４は、直径算出部１５１２で算出された乳房２１０の直径ｄを用いて、乳房２１０の大きさとして乳房２１０の圧迫厚ｔを算出する。具体的に、圧迫圧算出部１５１４は、例えば、図２に記載した変換式（ｔ＝α・π・ｄ**２，αは定数）を用いて、乳房２１０の圧迫厚ｔを算出する。
【００４６】
ＤｇＮｃｔ算出部１５１５は、直径算出部１５１２で算出された乳房２１０の直径ｄと、乳腺率算出部１５１３で算出された乳房２１０の乳腺率を用いて、図３（ａ）に示すＤｇＮｃｔを算出する。
【００４７】
乳腺線量算出部１５１６は、圧迫圧算出部１５１４で算出された乳房２１０の圧迫厚ｔと、乳腺率算出部１５１３で算出された乳房２１０の乳腺率を用いて、図２（ａ）に示す許容される平均乳腺線量を算出する。
【００４８】
撮影線量算出部１５１７は、直径算出部１５１２で算出された乳房２１０の直径ｄに基づいて、ＣＴ撮影を行う際の放射線１２１の線量である撮影線量を算出する。具体的に、本実施形態では、事前撮影画像取得部１５１１で放射線１２１に係る事前撮影画像を取得するので、撮影線量算出部１５１７は、直径算出部１５１２で算出された乳房２１０の直径ｄと乳腺率算出部１５１３で算出された乳房２１０の乳腺率に基づいて、ＣＴ撮影を行う際の放射線１２１の線量である撮影線量を算出する。なお、事前撮影画像取得部１５１１において可視光カメラ１７０からの可視光に係る事前撮影画像を取得する形態の場合には、当該事前撮影画像からは乳腺率算出部１５１３による乳腺率の算出は困難であるため、この場合には、表示部１０２１から操作入力された乳腺率の情報を用いて撮影線量を算出する形態を採る。より具体的に、本実施形態においては、撮影線量算出部１５１７は、撮影線量算出部１５１７は、乳腺線量算出部１５１６で算出された平均乳腺線量とＤｇＮｃｔ算出部で算出されたＤｇＮｃｔを用いて、図３の領域３０１に示す計算を行って、図３（ｂ）に示す空気カーマに係る撮影線量を算出する。
【００４９】
フレームレート算出部１５１８は、撮影線量算出部１５１７で算出された撮影線量と、撮影条件によって定まる放射線発生部１２０の最大電流値Ａmaxとに基づいて、放射線検出部１３０の検出に基づき取得される画像の取得速度を表すフレームレート（ＦＰＳ）を算出する取得速度算出部である。具体的に、フレームレート算出部１５１８は、まず、撮影線量算出部１５１７で算出された撮影線量を用いて、図３（ｂ）の関係から、管電流時間積を取得する。続いて、フレームレート算出部１５１８は、取得した管電流時間積を用いて、図４（ｃ）に示す管電流が最大電流値Ａmax（６ｍＡ）であることを基準（前提）として、フレームレート（ＦＰＳ）を算出する。以下、このフレームレート算出部１５１８で算出されたフレームレート（ＦＰＳ）をフレームレートｆとして記載する。
【００５０】
撮影制御部１５１９は、フレームレート算出部１５１８で算出されたフレームレートｆが最大フレームレートＲ（３０ＦＰＳ）以下である場合には、図４（ｂ）及び図４（ｃ）に示すように、最大電流値Ａmax（６ｍＡ）とフレームレートｆとを撮影条件とするＣＴ撮影を行うように制御する。また、撮影制御部１５１９は、フレームレート算出部１５１８で算出されたフレームレートｆが最大フレームレートＲ（３０ＦＰＳ）よりも大きい場合には、図４（ｂ）及び図４（ｃ）に示すように、最大電流値Ａmax（６ｍＡ）よりも小さい電流値と最大フレームレートＲ（３０ＦＰＳ）とを撮影条件とするＣＴ撮影を行うように制御する。また、撮影制御部１５１９は、上述した制御以外にも、乳房２１０のＣＴ撮影に係る各種の制御も行う。
【００５１】
記憶部１５２は、制御部１５０による各種の制御及び各種の処理を行う際に必要な各種の情報等（画像及びデータを含む）を記憶している。また、記憶部１５２は、制御部１５０による各種の制御及び各種の処理を行うことによって得られた各種の情報等（画像及びデータを含む）を記憶する。例えば、記憶部１５２は、図２〜図４に記載の各種の情報等（画像及びデータを含む）を記憶している。
【００５２】
画像再構成部１５３は、放射線１２１を用いて乳房２１０を各方向から撮影することによって得られた複数の放射線画像を再構成して、ＣＴ撮影に係る再構成画像を生成する。そして、制御部１５０は、必要に応じて、画像再構成部１５３で生成した再構成画像を表示部１０２１に表示する制御を行う。
【００５３】
図６は、本発明の第１の実施形態に係る放射線撮影装置１００の動作方法における処理手順の一例を示すフローチャートである。以下、図５に示す各機能構成を用いて、図６のフローチャートの説明を行う。
【００５４】
例えば撮影技師等の検者が表示部１０２１に患者情報を入力すると、ステップＳ１０１において、制御部１５０は、当該患者情報を取得する。
【００５５】
その後、被検者２００が検者からの指示に従って開口部１１１から右の乳房２１０をセットし、検者から表示部１０２１を介して事前撮影の指示が入力されると、ステップＳ１０２において、制御部１５０は、放射線１２１を用いたワンショット撮影の制御を行う。具体的に、本実施形態では、制御部１５０は、回転機構部１４０による回転を行わずに放射線発生部１２０及び放射線検出部１３０を固定した状態で、右の乳房２１０を１方向から放射線１２１を用いて撮影する。そして、事前撮影画像取得部１５１１は、放射線１２１に係る右の乳房２１０の事前撮影画像を取得する。
【００５６】
続いて、ステップＳ１０３において、直径算出部１５１２は、事前撮影画像取得部１５１１で取得された事前撮影画像を用いて、乳房２１０の大きさとして乳房２１０の直径ｄを算出する。具体的に、直径算出部１５１２は、事前撮影画像を画像処理して、図２（ｂ）の領域Ａｂに示すように、開口部１１１で規定される乳房２１０の断面における長さを直径ｄとして算出する。また、ステップＳ１０３において、乳腺率算出部１５１３は、事前撮影画像取得部１５１１で取得された事前撮影画像を用いて、乳房２１０の乳腺率を算出する。本実施形態では、事前撮影画像取得部１５１１で放射線１２１に係る事前撮影画像を取得するので、乳腺率算出部１５１３は、当該事前撮影画像を２値化処理等の画像処理を行って乳房２１０の乳腺率を算出する。
【００５７】
続いて、ステップＳ１０４において、圧迫圧算出部１５１４は、直径算出部１５１２で算出された乳房２１０の直径ｄを用いて、乳房２１０の大きさとして乳房２１０の圧迫厚ｔを算出する。具体的に、圧迫圧算出部１５１４は、例えば、図２に記載した変換式（ｔ＝α・π・ｄ**２，αは定数）を用いて、乳房２１０の圧迫厚ｔを算出する。また、ステップＳ１０４において、ＤｇＮｃｔ算出部１５１５は、直径算出部１５１２で算出された乳房２１０の直径ｄと、乳腺率算出部１５１３で算出された乳房２１０の乳腺率を用いて、図３（ａ）に示すＤｇＮｃｔを算出する。
【００５８】
続いて、ステップＳ１０５において、乳腺線量算出部１５１６は、圧迫圧算出部１５１４で算出された乳房２１０の圧迫厚ｔと、乳腺率算出部１５１３で算出された乳房２１０の乳腺率を用いて、図２（ａ）に示す許容される平均乳腺線量を算出する。
【００５９】
続いて、ステップＳ１０６において、撮影線量算出部１５１７は、乳腺線量算出部１５１６で算出された平均乳腺線量とＤｇＮｃｔ算出部で算出されたＤｇＮｃｔを用いて、図３（ｂ）に示す空気カーマに係る撮影線量を算出する。
【００６０】
続いて、ステップＳ１０７において、フレームレート算出部１５１８は、まず、撮影線量算出部１５１７で算出された撮影線量を用いて、図３（ｂ）の関係から、管電流時間積を取得する。続いて、フレームレート算出部１５１８は、取得した管電流時間積を用いて、図４（ｃ）に示す管電流が最大電流値Ａmax（６ｍＡ）であることを基準（前提）として、フレームレートｆを算出する。図４（ｃ）に示す例の場合には、放射線１２１のパルスのＤｕｔｙを５０％に設定している。
【００６１】
続いて、ステップＳ１０８において、撮影制御部１５１９は、フレームレート算出部１５１８で算出されたフレームレートｆが最大フレームレートＲ以下（即ち、放射線検出部１３０における画像の取得に係る最大速度以下）であるか否かを判断する。
【００６２】
ステップＳ１０８の判断の結果、フレームレート算出部１５１８で算出されたフレームレートｆが最大フレームレートＲ以下である場合には（Ｓ１０８／Ｙｅｓ）、ステップＳ１０９に進む。
ステップＳ１０９に進むと、撮影制御部１５１９は、図４（ｂ）及び図４（ｃ）に示すように、最大電流値Ａmax（６ｍＡ）とフレームレートｆとを撮影条件とするＣＴ撮影を行うように制御する。
【００６３】
一方、ステップＳ１０８の判断の結果、フレームレート算出部１５１８で算出されたフレームレートｆが最大フレームレートＲ以下でない（即ち、ｆがＲよりも大きい）場合には（Ｓ１０８／Ｎｏ）、ステップＳ１１０に進む。
ステップＳ１１０に進むと、撮影制御部１５１９は、図４（ｂ）及び図４（ｃ）に示すように、最大電流値Ａmax（６ｍＡ）よりも小さい電流値と最大フレームレートＲ（３０ＦＰＳ）とを撮影条件とするＣＴ撮影を行うように制御する。この際、撮影制御部１５１９は、最大電流値Ａmax（６ｍＡ）よりも小さい電流値を再計算して算出する。
【００６４】
ステップＳ１０９の処理が終了した場合、或いは、ステップＳ１１０の処理が終了した場合には、ステップＳ１１１に進む。
そして、被検者２００が検者からの指示に従って開口部１１１から左の乳房２１０をセットし、検者から表示部１０２１を介して事前撮影の指示が入力されると、ステップＳ１１１において、制御部１５０は、放射線１２１を用いたワンショット撮影の制御を行う。
【００６５】
続いて、ステップＳ１１２において、制御部１５０は、上述した右の乳房２１０に係るステップＳ１０３〜Ｓ１１０の処理と同様の処理を左の乳房２１０に対しても行って、左の乳房２１０の撮影条件を決定してＣＴ撮影制御を行う。
【００６６】
以上の図５に示す放射線撮影装置１００の各構成部は、以上の図６フローチャートの処理において、主として以下の処理を行っている。
放射線発生部１２０は、撮影対象物である乳房２１０を撮影するための放射線１２１を発生させ、放射線検出部１３０は、放射線発生部１２０と対向する位置に配置され、放射線発生部１２０で発生させた放射線１２１を検出する。そして、フレームレート算出部１５１８は、放射線発生部１２０の最大電流値に基づいて、放射線検出部１３０のフレームレートを算出する（Ｓ１０７）。そして、撮影制御部１５１９は、フレームレート算出部１５１８で算出されたフレームレートに基づいて、放射線発生部１２０の電流値と放射線検出部１３０のフレームレートとを設定する（Ｓ１０９，Ｓ１１０）。
具体的に、撮影制御部１５１９は、算出されたフレームレートが最大フレームレート以下である場合、放射線発生部１２０の電流値として最大電流値を設定し、放射線検出部１３０のフレームレートとして当該算出されたフレームレートを設定する（Ｓ１０９）。また、撮影制御部１５１９は、算出されたフレームレートが最大フレームレートよりも大きい場合、放射線発生部１２０の電流値として最大電流値よりも小さい電流値を設定し、放射線検出部１３０のフレームレートとして最大フレームレートを設定する（Ｓ１１０）。
また、フレームレート算出部１５１８は、放射線発生部１２０の最大電流値に加えて、撮影を行う際の前記放射線の線量である撮影線量に基づいて、放射線検出部１３０のフレームレートを算出する（Ｓ１０７）。
また、フレームレート算出部１５１８は、撮影対象物の大きさに基づいて撮影線量を算出する撮影線量算出部１５１７で算出された撮影線量（Ｓ１０６）を用いて、放射線検出部１３０のフレームレートを算出する（Ｓ１０７）。ここで、放射線発生部１２０は、開口部１１１から挿入された撮影対象物に対して放射線１２１を発生させるものであり、撮影線量算出部１５１７は、撮影対象物の大きさとして、開口部１１１で規定される撮影対象物の断面における径を用いる（Ｓ１０３）。
また、撮影線量算出部１５１７は、撮影対象物である乳房２１０の大きさと乳房２１０における乳腺率とに基づいて、撮影線量を算出する（Ｓ１０３）。より詳細に、撮影線量算出部１５１７は、直径算出部１５１２で算出された乳房２１０の大きさと乳腺率算出部１５１３で算出された乳房２１０における乳腺率とに基づいて、撮影線量を算出する（Ｓ１０３）。
また、事前撮影画像取得部１５１１は、ＣＴ撮影の前に放射線１２１または可視光を用いて撮影対象物を事前撮影して得られた事前撮影画像を取得し、直径算出部１５１２は、事前撮影画像取得部１５１１で取得した事前撮影画像を用いて撮影対象物の大きさを算出する（Ｓ１０３）。そして、撮影線量算出部１５１７は、直径算出部１５１２で算出された撮影対象物の大きさに基づいて、撮影線量を算出する（Ｓ１０６）。
【００６７】
以上説明したように、第１の実施形態に係る放射線撮影装置１００では、フレームレート算出部１５１８は、撮影線量と撮影条件によって定まる放射線発生部１２０の最大電流値Ａmaxとに基づいて、フレームレートｆを算出するようにしている。そして、撮影制御部１５１９は、フレームレートｆが最大フレームレート以下（Ｒ以下）である場合には、最大電流値Ａmaxとフレームレートｆとを撮影条件とするＣＴ撮影を行い、フレームレートｆが最大フレームレートＲよりも大きい場合には、最大電流値Ａmaxよりも小さい電流値と最大フレームレートＲとを撮影条件とするＣＴ撮影を行うようにしている。
かかる構成によれば、放射線１２１を用いて撮影対象物である乳房２１０を撮影する際に、効率的に撮影時間の短縮を実現することができる。これにより、被検者２００の負担の軽減や、被検者２００の体動に基づく撮影画像の劣化（ボケやアーチファクト等）を抑制することも可能となる。
【００６８】
また、第１の実施形態に係る放射線撮影装置１００では、撮影線量算出部１５１７は、撮影対象物である乳房２１０の大きさに基づいて撮影線量を算出し、フレームレート算出部１５１８は、撮影線量算出部１５１７された撮影線量を用いてフレームレートｆを算出するようにしている。
かかる構成によれば、撮影対象物である乳房２１０の大きさに基づいて撮影線量を算出するようにしたので、乳房２１０の大きさに応じた被爆線量を考慮しつつ撮影時間の短縮を実現することができる。
【００６９】
（第２の実施形態）
次に、本発明の第２の実施形態について説明する。以下の第２の実施形態の説明においては、上述した第１の実施形態と共通する部分の説明は省略し、上述した第１の実施形態と異なる部分について説明を行う。
【００７０】
第２の実施形態に係る放射線撮影装置の概略構成は、図１に示す第１の実施形態に係る放射線撮影装置１００の概略構成と同様である。また、第２の実施形態に係る放射線撮影装置の機能構成は、図５に示す第１の実施形態に係る放射線撮影装置１００の機能構成と同様である。
【００７１】
上述した第１の実施形態では、平均乳腺線量に関して、図２（ａ）に示すように、乳房２１０の乳腺と脂肪の割合を乳腺５０％，脂肪５０％で固定した場合を想定した形態であった。一般的に、乳腺５０％，脂肪５０％の割合は良い近似ではあるが、より厳密に平均乳腺線量を管理する場合には、乳腺と脂肪の割合を厳密に設定することが望ましい。ＥＵＲＥＦでは、乳腺５０％，脂肪５０％の平均乳腺線量を規定しているが、他の割合については計算によって求めることができる。具体的に、乳腺の割合が大きくなると平均乳腺線量が小さくなる傾向がある。これは、撮影線量を固定して考えた場合に、より大きい乳房２１０を撮影した方が、平均乳腺線量が小さくなることと同様の傾向である。
【００７２】
図７は、本発明の第２の実施形態に係る放射線撮影装置１００において想定している技術の一例を示す図である。この図７は、第１の実施形態における図２に対応したものである。具体的に、図７（ａ）には、図２に示す乳腺５０％，脂肪５０％の場合に対応する特性７０２に加えて、乳房２１０の乳腺と脂肪の割合が、乳腺４０％，脂肪６０％の場合の特性７０１及び乳腺６０％，脂肪４０％の場合の特性７０３も示している。
【００７３】
乳房２１０の乳腺と脂肪の割合は、例えば、ＣＴ撮影前に被検者２００の乳房２１０を検査して、その検査による測定値を表示部１０２１から入力する形態をとり得る。また、事前撮影画像取得部１５１１において、放射線１２１に係る事前撮影画像を取得するのであれば、第１の実施形態における乳腺率算出部１５１３で算出した乳腺率から乳房２１０の乳腺と脂肪の割合を取得する形態をとり得る。この場合、乳腺率算出部１５１３による乳腺率の算出方法は、第１の実施形態と同様の処理を適用できる。
【００７４】
第２の実施形態においても、上述した第１の実施形態と同様の効果を奏する。
【００７５】
（第３の実施形態）
次に、本発明の第３の実施形態について説明する。以下の第３の実施形態の説明においては、上述した第１の実施形態と共通する部分の説明は省略し、上述した第１の実施形態と異なる部分について説明を行う。
【００７６】
上述した第１の実施形態では、例えば、表１に示すような撮影条件が発生する。
【００７７】
【表１】
2019055131.tif 000003
【００７８】
具体的には、撮影条件１と撮影条件２は無数に存在する。このようなデータを無数に準備することは、記憶部１５２の記憶容量とそのデータの取得するための時間等の制約がある。
【００７９】
そこで、第３の実施形態では、例えば、表２に示すように代表的な撮影条件のデータを記憶部１５２に記憶しておく形態を採る。
【００８０】
【表２】
2019055131.tif 000004
【００８１】
この表２に示す複数の撮影条件は、最大電流値Ａmax（６ｍＡ）と最大フレームレートＲ（３０ＦＰＳ）を基準として、最大フレームレートＲ（３０ＦＰＳ）にして管電流を下げた撮影条件、及び、最大電流値Ａmax（６ｍＡ）にしてフレームレートを下げた撮影条件を複数設定することが好適である。これにより、効率的な撮影条件の設定及び撮影制御が可能になる。
【００８２】
具体的に、第３の実施形態では、表２に示すように、記憶部１５２に、放射線発生部１２０の電流値である管電流（ｍＡ）とフレームレート（ＦＰＳ）とを含む（更に、表２では管電圧（ｋＶ）も含む）撮影条件を複数記憶しておく。そして、撮影制御部１５１９は、記憶部１５２に記憶されている複数の撮影条件の中から該当する撮影条件を選択してＣＴ撮影を行うように制御する。また、撮影制御部１５１９は、記憶部１５２に記憶されている複数の撮影条件の中に該当する撮影条件が無い場合には、記憶部１５２に記憶されている複数の撮影条件を補間して当該該当する撮影条件を求める処理を行う。
【００８３】
以上の第３の実施形態に係る放射線撮影装置１００では、主として以下の処理を行っている。
記憶部１５２は、放射線発生部１２０の電流値と放射線検出部１３０のフレームレートとを含む撮影条件を複数記憶し、撮影制御部１５１９は、記憶部１５２に記憶されている複数の撮影条件の中から該当する撮影条件を選択して撮影条件を設定している。
また、撮影制御部１５１９は、記憶部１５２に記憶されている複数の撮影条件の中に該当する撮影条件が無い場合には、記憶部１５２に記憶されている複数の撮影条件を補間して該当する撮影条件を求めている。
【００８４】
第３の実施形態においても、上述した第１の実施形態と同様の効果を奏する。
【００８５】
（その他の実施形態）
上述した本発明の実施形態に係る放射線撮影装置１００は、被検者２００が立位の状態で撮影対象物である乳房２１０を放射線撮影する例について説明を行った。しかしながら、本発明においては、この形態に限定されるものではない。例えば、被検者２００が伏臥位の状態で撮影対象物である乳房２１０を放射線撮影する放射線撮影装置も、本発明に含まれる。この被検者２００を伏臥位の状態にして乳房２１０を放射線撮影する場合、上述した本発明の実施形態では図１に示すｘｙ面に配置した接触板１１０を、図１に示すｘｚ面に配置する形態を採る（接触板１１０以外の他の構成も、接触板１１０の配置変更に伴って配置変更する）。
【００８６】
また、上述した本発明の実施形態では、放射線撮影の対象である撮影対象物として、被検者２００の乳房２１０を適用する例について説明を行った。しかしながら、本発明における撮影対象物としては、この乳房２１０に限定されるものではなく、開口部１１１に挿入可能な被検者２００の一部であれば他の部分（例えば、被検者２００の四肢）も、適用可能である。
【００８７】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８８】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８９】
１００：放射線撮影装置、１０１：筐体、１０２：支柱、１１０：接触板、１１１：開口部、１２０：放射線発生部、１２１：放射線、１３０：放射線検出部、１４０：回転機構部、１５０：制御部、１５１：撮影条件決定部、１５２：記憶部、１５３：画像再構成部、１６０：乳房保持部、１７０：可視光カメラ、２００：被検者、１０２１：表示部、１５１１：事前撮影画像取得部、１５１２：直径算出部、１５１３：乳腺率算出部、１５１４：圧迫圧算出部、１５１５：ＤｇＮｃｔ算出部、１５１６：乳腺線量算出部、１５１７：撮影線量算出部、１５１８：フレームレート算出部、１５１９：撮影制御部
【図１】
2019055131.tif 000005
【図２】
2019055131.tif 000006
【図３】
2019055131.tif 000007
【図４】
2019055131.tif 000008
【図５】
2019055131.tif 000009
【図６】
2019055131.tif 000010
【図７】
2019055131.tif 000011